(57)【要約】【課題】ポンプ室の洗浄液の吐出効率を向上させることができるウォッシャポンプを提供する。【解決手段】ケース１１内に、通電により回転するアーマチュア２０を収納したモータ室１１Ａと、このアーマチュアのアーマチュア軸２１に結合されて回転するインペラ２２を収納したポンプ室１１Ｂとを仕切った状態に設け、このポンプ室内に該ポンプ室に連通した液体吸入口１６からインペラの回転により洗浄液Ｗを吸引すると共に、該ポンプ室に連通した液体吐出口１７より洗浄液を吐出するようにしたウォッシャポンプ１０において、ポンプ室の円弧状の内周面１３ｂから液体吐出口にかけて渦巻き状の凹部１４を連続して形成し、この渦巻き状の凹部と液体吐出口との継ぎ目の部分の該液体吐出口の基端部側を四角筒状に形成した。【選択図】図１
2008238857.tif 000002
【特許請求の範囲】
【請求項１】
ケース内に、通電により回転するアーマチュアを収納したモータ室と、このアーマチュアのアーマチュア軸に結合されて回転するインペラを収納したポンプ室とを仕切った状態に設け、このポンプ室内に該ポンプ室に連通した液体吸入口から前記インペラの回転により洗浄液を吸引すると共に、該ポンプ室に連通した液体吐出口より前記洗浄液を吐出するようにしたウォッシャポンプにおいて、
前記ポンプ室の円弧状の内周面から前記液体吐出口にかけて渦巻き状の凹部を連続して形成し、かつ、この渦巻き状の凹部と前記液体吐出口との継ぎ目の部分の該液体吐出口の基端部側を四角筒状に形成したことを特徴とするウォッシャポンプ。
【請求項２】
請求項１記載のウォッシャポンプであって、
前記液体吐出口の基端部から中途部にかけて四角筒状に形成すると共に、該中途部から先端部にかけて円筒状に連続して形成したことを特徴とするウォッシャポンプ。
【発明の詳細な説明】
【技術分野】
【０００１】
本発明は、例えば、自動車のウォッシャタンクに貯蔵した洗浄液を吸い込んでノズルに送給させるウォッシャポンプに関する。
【背景技術】
【０００２】
この種のウォッシャポンプは、そのケース内に、通電により回転するアーマチュアを収納したモータ室と、このアーマチュアのアーマチュア軸に結合されて回転するインペラを収納したポンプ室とを仕切った状態に設け、このポンプ室内に該ポンプ室に連通した液体吸入口からインペラの回転により洗浄液を吸引すると共に、該ポンプ室に連通した液体吐出口より洗浄液を吐出するようになっている。このウォッシャポンプのポンプ室として、図７に示すものがある。
【０００３】
このウォッシャポンプのポンプ室は、図７に示すように、ケースの下側を構成する有底で円筒状のポンプカバー１により形成されている。このポンプカバー１の周壁２の内周面２ａは全周に亘り円弧状に形成してあり、その一部に半円段差凹状の開口部２ｂを形成してある。この半円段差凹状の開口部２ｂには、周壁２の内周面２ａの接線方向に延びるように円筒状の液体吐出口３を一体突出形成してある。
【０００４】
【特許文献１】特開平９−１８８２２７号公報
【発明の開示】
【発明が解決しようとする課題】
【０００５】
前記従来のウォッシャポンプでは、ポンプ室を形成するポンプカバー１の周壁２の内周面２ａの一部に円筒状の液体吐出口３を一体突出形成して、ポンプ室から液体吐出口３の先端までの水路の流路抵抗を低減するようにしていたが、ポンプカバー１の周壁２の内周面２ａと円筒状の液体吐出口３の基端との継ぎ目部分が半円段差凹状の開口部２ｂになっているため、この半円段差凹状の開口部２ｂ部分で渦巻き流等を発生し、ポンプ室の洗浄液の吐出効率が低下していた。
【０００６】
そこで、本発明は、前記した課題を解決すべくなされたものであり、ポンプ室の洗浄液の吐出効率を向上させることができるウォッシャポンプを提供することを目的とする。
【課題を解決するための手段】
【０００７】
請求項１の発明は、ケース内に、通電により回転するアーマチュアを収納したモータ室と、このアーマチュアのアーマチュア軸に結合されて回転するインペラを収納したポンプ室とを仕切った状態に設け、このポンプ室内に該ポンプ室に連通した液体吸入口から前記インペラの回転により洗浄液を吸引すると共に、該ポンプ室に連通した液体吐出口より前記洗浄液を吐出するようにしたウォッシャポンプにおいて、前記ポンプ室の円弧状の内周面から前記液体吐出口にかけて渦巻き状の凹部を連続して形成し、かつ、この渦巻き状の凹部と前記液体吐出口との継ぎ目の部分の該液体吐出口の基端部側を四角筒状に形成したことを特徴とする。
【０００８】
請求項２の発明は、請求項１記載のウォッシャポンプであって、前記液体吐出口の基端部から中途部にかけて四角筒状に形成すると共に、該中途部から先端部にかけて円筒状に連続して形成したことを特徴とする。
【発明の効果】
【０００９】
以上説明したように、請求項１の発明によれば、ポンプ室の円弧状の内周面から液体吐出口にかけて渦巻き状の凹部を連続して形成し、かつ、この渦巻き状の凹部と液体吐出口との継ぎ目の部分の該液体吐出口の基端部側を四角筒状に形成したことにより、ポンプ室の渦巻き状の凹部から液体吐出口までの間の段差部を無くすことで、液体吸入口からインペラの回転によりポンプ室内に吸引された洗浄液を該ポンプ室の渦巻き状の凹部に連通した液体吐出口よりスムーズに吐出させることができ、ポンプ室の洗浄液の吐出効率をより一段と向上させることができる。  
【００１０】
請求項２の発明によれば、液体吐出口の基端部から中途部にかけて四角筒状に形成すると共に、該中途部から先端部にかけて円筒状に連続して形成したことにより、液体吐出口の先端部に結合される液体送供管の流路抵抗を変えることなく、洗浄液をノズル側等に効率良く送給することができる。
【発明を実施するための最良の形態】
【００１１】
以下、本発明の一実施形態を図面に基づいて説明する。
【００１２】
図１は本発明の一実施形態のウォッシャポンプを示す断面図、図２は同ウォッシャポンプに用いられるポンプカバーの斜視図、図３は同ポンプカバーの平面図、図４は同ポンプカバーの正面図、図５は同ポンプカバーの断面図、図６（ａ）は同ポンプカバーに形成された筒状の液体吐出口の断面図、図６（ｂ）は同液体吐出口の内周面の形状を示す説明図である。
【００１３】
図１に示すように、ウォッシャポンプ１０は、ケース１１内に、通電により回転するアーマチュア２０を収納したモータ室１１Ａと、このアーマチュア２０のアーマチュア軸２１に結合されて回転するインペラ２２を収納したポンプ室１１Ｂとを仕切った状態に設けている。そして、ポンプ室１１Ｂ内に該ポンプ室１１Ｂに連通した液体吸入口１６からインペラ２２の回転により洗浄液Ｗを吸引すると共に、該ポンプ室１１Ｂに連通した液体吐出口１７より洗浄液Ｗを吐出するようになっている。この液体吐出口１７から吐出した洗浄液Ｗはチューブ（液体送供管）Ｘを通ってノズルに送給され、このノズルからウインドシールドガラス等の洗浄面（いずれも図示省略）に噴射されるようになっている。
【００１４】
また、図１に示すように、ケース１１は、上面が開口された周壁１２ａ内にモータ室１１Ａを形成する合成樹脂製で円筒状のポンプケース１２と、このポンプケース１２の底壁（仕切壁）１２ｃの外周部１２ｄに例えば溶着等により固着されてポンプ室１１Ｂを形成する合成樹脂製で断面略凵字状のポンプカバー１３と、ポンプケース１２の開口部１２ｂの内周に嵌合された合成樹脂製のモータカバー１５とで構成されている。このモータカバー１５には、電源供給用コネクタ１５ａを一体突出形成してある。
【００１５】
さらに、ポンプケース１２の周壁１２ａの底壁１２ｃ寄りの位置には、円筒状の液体吸入口１６を一体突出形成してある。この円筒状の液体吸入口１６は、液体送供管Ｙを介してウォッシャタンクＴに連通接続されている。
【００１６】
また、図１〜図６に示すように、ポンプカバー１３の周壁１３ａの液体吸入口１６に対向する位置には、筒状の液体吐出口１７を一体突出形成してある。この筒状の液体吐出口１７は液体送供管Ｘを通ってノズルに連通接続されている。
【００１７】
図２，図３，図５に示すように、ポンプ室１１Ｂを形成するポンプカバー１３の周壁１３ａの円弧状の内周面１３ｂから液体吐出口１７の基端部１７ａにかけて渦巻き状の凹部１４を連続して形成してある。この渦巻き状の凹部１４と液体吐出口１７の基端部１７ａとの継ぎ目の部分の該液体吐出口１７の基端部１７ａ側は四角筒状に一体形成してある。即ち、図４，図６（ｂ）に示すように、液体吐出口１７の基端部１７ａから中途部１７ｂにかけて四角筒状に連続して形成してあると共に、該中途部１７ｂから先端部１７ｃにかけて円筒状に連続して形成してある。
【００１８】
以上実施形態のウォッシャポンプ１０によれば、図２〜図６に示すように、ポンプ室１１Ｂを形成するポンプカバー１３の周壁１３ａの円弧状の内周面１３ｂから液体吐出口１７の基端部１７ａにかけて渦巻き状の凹部１４を連続して形成し、かつ、この渦巻き状の凹部１４と液体吐出口１７の基端部１７ａとの継ぎ目の部分の該液体吐出口１７の基端部１７ａ側を四角筒状に一体形成したことにより、ポンプ室１１Ｂの渦巻き状の凹部１４から液体吐出口１７の先端部１７ｃまでの間の段差部を無くすことで、液体吸入口１６からインペラ２２の回転によりポンプ室１１Ｂ内に吸引された洗浄液Ｗを、該ポンプ室１１Ｂを形成するポンプカバー１３の周壁１３ａの渦巻き状の凹部１４に連通した液体吐出口１７よりスムーズに吐出させることができる。これにより、ポンプ室１１Ｂの洗浄液Ｗの吐出効率を従来のものに比較してより一段と向上させることができる。
【００１９】
特に、図４及び図６（ｂ）に示すように、液体吐出口１７の基端部１７ａから中途部１７ｂにかけて四角筒状に一体突出形成すると共に、該中途部１７ｂから先端部１７ｃにかけて円筒状に連続して一体突出形成したことにより、液体吐出口１７の先端部１７ｃに結合されるチューブＸの流路抵抗を変えることなく、洗浄液Ｗをノズル側に効率良く送給することができる。
【００２０】
尚、前記実施形態によれば、液体吐出口の基端部から中途部にかけて四角筒状に形成すると共に、該中途部から先端部にかけて円筒状に連続して形成したが、液体吐出口の基端部から先端部にかけて四角筒状に形成しても良い。
【図面の簡単な説明】
【００２１】
【図１】本発明の一実施形態のウォッシャポンプを示す断面図である。
【図２】上記ウォッシャポンプに用いられるポンプカバーの斜視図である。
【図３】上記ポンプカバーの平面図である。
【図４】上記ポンプカバーの正面図である。
【図５】上記ポンプカバーの断面図である。
【図６】（ａ）は上記ポンプカバーに形成された筒状の液体吐出口の断面図、（ｂ）は同液体吐出口の内周面の形状を示す説明図である。
【図７】従来のウォッシャポンプに用いられるポンプカバーの斜視図である。
【符号の説明】
【００２２】
１０  ウォッシャポンプ
１１  ケース
１１Ａ  モータ室
１１Ｂ  ポンプ室
１３ｂ  円弧状の内周面
１４  渦巻き状の凹部
１６  液体吸入口
１７  液体吐出口
１７ａ  基端部
１７ｂ  中途部
１７ｃ  先端部
２０  アーマチュア
２１  アーマチュア軸
２２  インペラ
Ｗ  洗浄液
【図１】
2008238857.tif 000003
【図２】
2008238857.tif 000004
【図３】
2008238857.tif 000005
【図４】
2008238857.tif 000006
【図５】
2008238857.tif 000007
【図６】
2008238857.tif 000008
【図７】
2008238857.tif 000009